(57)【要約】      （修正有）【課題】ランドセルの軽量化とコストの軽減を図り、学童の身体にやさしいランドセルを提供する。【解決手段】前面に背板４を取付けた主収容室３と副収容室６と前ポケット８からなるランドセル本体２と、ランドセル本体の上面全体を覆う蓋板９と、背板の上部中央に上端を取付けた背負ベルト１１とからなるランドセル１において、背負ベルトの下部と、ランドセル本体の底面部７または大マチ部５の両側下部に取付けた接続手段２０の一端に取付けたベルト連結具３０とを長さ調節可能に連結してなる。【選択図】図１
0003202660.tif 000002
【実用新案登録請求の範囲】
【請求項１】
前面に背板（４）を取付けた主収容室（３）と副収容室（６）と前ポケット（８）とで設けたランドセル本体（２）と、該ランドセル本体の上面全体を覆う蓋板（９）と、前記背板（４）の上部中央に上端を取付けた背負ベルト（１１Ａ、１１Ｂ）とからなるランドセル（１）において、前記背負ベルト（１１Ａ、１１Ｂ）の下部と、ランドセル本体（２）の底面部（７）またはランドセル本体（２）の大マチ部（５）の両側下部に取付けた接続手段（２０、２５）の一端に取付けたベルト連結具（３０、５０）との長さを調節可能に連結してなることを特徴とするランドセル。
【請求項２】
前記第１、２の背負いベルト（１１Ａ、１１Ｂ）は、前記背板（４）の上部中央に取付けた背環（４ａ）に肩当部（１２Ａ、１２Ｂ）の上部を連結してなり、該肩当部の下部に前記ベルト連結具（３０、５０）と着脱可能に連結する連結部（１３Ａ、１３Ｂ）とを一体に形成してなることを特徴とする請求項１記載のランドセル。
【請求項３】
前記第１の背負いベルト（１１Ａ）は、連結部（１３Ａ）の表面長手方向に複数の連結孔（１４）を適宜間隔に設けてなることを特徴とする請求項１または２記載のランドセル。
【請求項４】
前記第１の接続手段（２０）は、ランドセル本体（２）の底面部（７）または大マチ部（５）の両側下部に取付けた接続体（２１）と、該接続体に一端を枢動可能に軸支した連結環（２２）とからなり、該連結環の一端に取付けた前記ベルト連結具（３０、５０）を枢動可能に連結してなることを特徴とする請求項１記載のランドセル。
【請求項５】
前記第２の接続手段（２５）は、ランドセル本体（２）の主収容室（３）の両側大マチ部（５）の下部で対称位置に取付けた接続片（２６）と、該接続片に回動可能に遊嵌した接続環（２８）とからなり、該接続環の一端と前記ベルト連結具（３０、５０）の一端を直接または連結帯片（６７）を介して連結してなることを特徴とする請求項１記載のランドセル。
【請求項６】
前記第１のベルト連結具（３０）は、前記第１の背負ベルト（１１Ａ）の連結部（１３Ａ）を挿通する連結基板（３１）と、該連結基板の一端に枢動可能に軸支して連結基板の上面を開閉可能に覆う可動板（４１）とからなり、この第１のベルト連結具（３０）の一端と、ランドセル本体（２）の底面部（７）または大マチ部（５）の両側下部に取付けた前記第１または第２の接続手段（２０、２５）の一端とを連結してなることを特徴とする請求項１記載のランドセル。
【請求項７】
前記第１のベルト連結具（３０）の連結基板（３１）は、一端に設けた連結部（３２）の他端にガイド部（３３）を一体に形成し、該ガイド部の略中央に前記第１の背負いベルト（１１Ａ）の連結部（１３Ａ）に設けた連結孔（１４）に着脱可能に嵌合する突起部（３５）と、両側に設けたガイド壁面（３６）の一端に係止孔（３７）を設け、前記可動板（４１）は、一端に前記連結基板（３１）を枢動可能に軸支する軸支部（３８）と、他端を垂直方向に折り曲げて形成した押圧部（４５）と、側壁部（４２）に前記ガイド壁部（３６）に設けた係止孔（３７）と合致する係止突起（４３）とを設けてなり、前記第１の背負ベルト（１１Ａ）の連結部（１３Ａ）に設けた連結孔（１４）を前記連結基板（３１）の突起部（３５）に挿入させて軸支部（３８）を中心に可動板（４１）を回動させて連結基板（３１）に被せ、前記可動板（４１）の押圧部（４５）で第１の背負ベルト（１１Ａ）の連結部（１３Ａ）を押圧してなることを特徴とする請求項１または６記載のランドセル。  
【請求項８】
前記第２のベルト連結具（５０）は、一端に連結部（５２）を有した連結片（５１）と、該連結片の他端に枢動可能に軸支した圧着片（６０）とからなり、前記連結部（５２）と、前記ランドセル本体（２）の大マチ部（５）に取付けた第１または第２の接続手段（２０、２５）の連結環（２２）または接続環（２８）とを連結してなることを特徴とする請求項１記載のランドセル。  
【請求項９】
前記第２のベルト連結具（５０）の連結片（５１）は、一端に連結部（５２）を形成し、他端を直角方向に折り曲げて形成した立上部（５３）の上面に歯合部（５５）を設け、該立上部の基部の両側に軸部（５６）を設けてなり、前記圧着片（６０）は、ガイド壁部（６２）の両側に設けた軸受孔（６３）に前記連結基板（５１）の軸部（５６）を枢動可能に軸支して裏面に係止突起（６４）を設け、前記第２の背負いベルト（１１Ｂ）の連結部（１３Ｂ）を挿通する挿入口（６１）を一端に形成してなり、前記圧着片（６０）の挿入口（６１）から第１または第２の背負いベルト（１１Ａ、１１Ｂ）の連結部（１３Ａ、１３Ｂ）を挿通させた後、前記圧着片（６０）を連結片（５１）と平行位置に回動させて連結片（５１）の歯合部（５５）と圧着片（６０）の裏面との間に連結部（１３Ａ、１３Ｂ）を圧着させて連結することを特徴とする請求項１または８記載のランドセル。  
【考案の詳細な説明】
【技術分野】
【０００１】
本考案は、ランドセルの軽量化とコストの軽減を図り、学童の身体にやさしいランドセルに関する。
【背景技術】
【０００２】
従来、学童が使用するランドセルは、体力のない小さな小学１年生から成長著しい大きな６年生までの６年間使用できるようにさまざまな工夫がなされている。特に、高学年になると学童の身長が伸びるに伴い肩幅が広くなることから、ランドセルの背負いベルトは背負い降ろしが窮屈とならないよう背負帯の長さを調節可能に形成してある。
【０００３】
通常、ランドセルに取付ける背負ベルトは、皮革または合成皮革材により帯状の長尺な肩当部を有した上部ベルトと、短尺な下部ベルトとからなり、上部ベルトは、一端を背板の上端中央に取付けた背環に連結し、下部ベルトは一端をランドセルの底面中央に取付けた錠前金具の左右に回転可能に取付けた連結具（いわゆるだるま環）に連結されている。また、背負ベルトの多くは、上部ベルトの肩当部の下方で一体に設けた連結部の係止孔（図示せず）と、下部ベルトに取付けられたバックル（図示せず）とを着脱可能に連結して背負いベルトの長さを調節して使用することが知られている。
【先行技術文献】
【特許文献】
【０００４】
【特許文献１】特開平９−２６２１１４号
【特許文献２】登録実用新案第３０１１７０７号
【０００５】
しかし、昨今のランドセルは、いわゆるＡ４判サイズの教科書やノートなどを収容するため、ランドセルのサイズが従来品（Ｂ５判サイズ）に比べ一回り大きくなったことにより、ランドセルの重量も重くなっている。さらには、学童の成長は著しく特に高学年になると大人と同じくらいの肩幅を有する学童も珍しくはなく、背負ベルトの長さを一杯に伸ばして背負い難さに対応しているなど多くの問題点を有している。
【考案の概要】
【考案が解決しようとする課題】
【０００６】
そこで、本考案はランドセルを背負う背負いベルトの下部ベルトを無くし、上部ベルトの連結部をランドセルの底面に取付けてある錠前金具に設けたベルト連結具（ダルマ環）または大マチ部の下部両側に取付けたベルト連結具に直接取付けることにより、連結具（バックル）で学童が怪我をするのを防止して身体にやさしいランドセルを提供すると共に、ランドセルの部品数の軽減と作業効率の向上を図って軽量化とコストの軽減を図る。さらには、ベルト連結具の取付け位置をランドセルの大マチ部の外壁面下方に取付けた場合、背負いベルトの下支点を幅方向に広げることができるのでランドセルの背負い降しをスムースにして背負いやすくすることができ、且つ、ランドセルの幅方向に突出するベルト連結具の突出部分を極力少なくすることにより連結具の破損や連結具による事故を防止することを目的とする。
【課題を解決するための手段】
【０００７】
上記課題を達成するため本考案は、前面に背板４を取付けた主収容室３と副収容室６と前ポケット８からなるランドセル本体２と、該ランドセル本体の上面全体を覆う蓋板９と、前記背板４の上部中央に上端を取付けた背負ベルト１１Ａ、１１Ｂとからなるランドセル１において、前記背負ベルト１１Ａ、１１Ｂの下部と、ランドセル本体２の底面部７またはランドセル本体２の大マチ部５の両側下部に取付けた接続手段２０、２５に連結したベルト連結具３０、５０との長さを調節可能に連結してなることを特徴とする。また、前記第１、２の背負いベルト１１Ａ、１１Ｂは、前記背板４の上部中央に取付けた背環４ａに肩当部１２Ａ、１２Ｂの上部を連結してなり、該肩当部の下部に前記ベルト連結具３０、５０と、着脱可能に連結する連結部１３Ａ、１３Ｂとを一体に形成してなることを特徴とする。さらに、前記第１の背負いベルト１１Ａは、連結部１３Ａの表面に複数の支持孔１４を適宜間隔に設けてなることを特徴とする。さらにはまた、前記第１の接続手段２０は、ランドセル本体２の底面部７または大マチ部５の両側下部に取付けた接続体２１と、該接続体に一端を枢動可能に軸支した連結環２２とからなり、該連結環の一端に取付けた前記ベルト連結具３０、５０を枢動可能に連結してなることを特徴とする。また、前記第２の接続手段２５は、ランドセル本体２の主収容室３を形成する大マチ部５の下部で対称位置に取付けた接続片２６と、該接続片に回動可能に遊嵌した接続環２８とからなり、該接続環の一端と前記ベルト連結具３０、５０の一端を直接または連結帯片６７を介して連結してなることを特徴とする。さらに、前記第１のベルト連結具３０は、前記第１の背負ベルト１１Ａの連結部１３Ａを挿通する連結基板３１と、該連結基板の一端に枢動可能に軸支して連結基板３１の上面を開閉可能に覆う可動板４１とからなり、この第１のベルト連結具３０の一端と、ランドセル本体２の底面部７または大マチ部５の両側下部に取付けた前記第１または第２の接続手段２０、２５の一端とを連結してなることを特徴とする。さらにはまた、前記第１のベルト連結具３０の連結基板３１は、一端に設けた連結部３２の他端にガイド部３３を一体に形成し、該ガイド部の略中央に前記第１の背負いベルト１１Ａの連結部１３Ａに設けた連結孔１４に着脱可能に嵌合する突起部３５と、両側に設けたガイド壁面３６の一端に係止孔３７を設け、前記可動板４１は、一端に前記連結基板３１を枢動可能に軸支する軸支部３８と、他端を垂直方向に折り曲げて形成した押圧部４５と、側壁部４２に前記ガイド壁部３６に設けた係止孔３７と合致する係止突起４３とを設けてなり、前記第１の背負ベルト１１Ａの連結部１３Ａに設けた連結孔１４を、前記連結基板３１の突起部３５に挿入させて軸支部３８を中心に可動板４１を回動させて連結基板３１に被せ、前記可動板４１の押圧部４５で第１の背負ベルト１１Ａの連結部１３Ａを押圧して連結することを特徴とする。また、前記第２のベルト連結具５０は、一端に連結部５２を有した連結片５１と、該連結片の他端に枢動可能に軸支した圧着片６０とからなり、前記連結部５２と、前記ランドセル本体２の大マチ部５に取付けた第１または第２の接続手段２０、２５の連結環２２または接続環２８とを連結してなることを特徴とする。さらに、前記第２のベルト連結具５０の連結片５１は、一端に連結部５２を形成し、他端を直角方向に折り曲げて形成した立上部５３の上面に歯合部５５を形成し、該立上部の基部の両側に軸部５６を設けてなり、前記圧着片６０は、ガイド壁部６２の両側に設けた軸受孔６３に前記連結基板５１の軸部５６を枢動可能に軸支して裏面に係止突起６４を設け、前記第２の背負いベルト１１Ｂの連結部１３Ｂを挿通する挿入口６１を一端に形成してなり、前記圧着片６０の挿入口６１から第１または第２の背負いベルト１１Ａ、１１Ｂの連結部１３Ａ、１３Ｂを挿通させた後、前記圧着片６０を連結片５１と平行位置に回動させて連結片５１の歯合部５５と圧着片６０の裏面との間に前記連結部１３Ａ、１３Ｂを圧着させて連結することを特徴とする。  
【０００８】
したがって、背負いベルト１１は、下部ベルトのない背負いベルトを直接ベルト連結具３０、５０に連結することにより、学童の身体に連結部分が当たらないので万一の怪我を防止することができる。また、背負いベルト１１の部品数を減らしてランドセル１の軽量化とコストの軽減を図ることができる。さらに、ベルト連結具３０、５０を大マチ部５の外壁面下方に取付けた場合、背負いベルト１１の下支点を幅方向に広げて背負いベルト１１の脇部分を広くすることができるので、学童が高学年になってもランドセルの背負い降しが楽でスムースの行うことができる。さらにはまた、ベルト連結具３０、５０をランドセル１の底面部７に取付けた錠前金具または大マチ部５の外壁面下方に設けた接続手段２０、２５を介して取付けたことにより、背負いベルト１１とベルト連結具３０、５０が外れることなく安全確実に連結することができる。また、ベルト連結具３０、５０を軽量で丈夫な硬質合成樹脂材などで形成したことにより、外部からの衝撃により破損や脱落を防止することができる
【図面の簡単な説明】
【０００９】
【図１】図１はランドセルの底面部に取付けた第１の接続手段に連結した第１のベルト連結具に第１の背負ベルトを連結した実施形態を示す側面図である。
【図２】図２は第１の背負ベルトの平面図である。
【図３】図３はランドセルの底面部に取付けた第１の接続手段に第１のベルト連結具を取付けた使用状態を示す平面図である。
【図４】図４は第１の接続手段に連結した第１のベルト連結具の可動板を開いた状態の平面図である。
【図５】図５は第１のベルト連結具の横断面図である。
【図６】図６はランドセルの大マチ部に取付けた第２の接続手段に連結した第１のベルト連結具に第１の背負ベルトを連結した実施形態を示す側面図である。
【図７】図７は第２の接続手段に第１のベルト連結具を取付けた状態を示す拡大平面図である。
【図８】図８は大マチ部に取付けた第２の接続手段に第１のベルト連結具を連結した第２の接続手段の断面図である。
【図９】図９は第２の背負ベルトの平面図である。
【図１０】図１０は第２の接続手段に第２のベルト連結具を連結した状態の拡大平面図である。
【図１１】図１１は図１０のＡ―Ａ線断面図である。
【図１２】図１２は図１１のＢ―Ｂ線断面図である。
【図１３】図１３は第２の接続手段に連結した第２のベルト連結具に第２の背負いベルトを連結した状態の横断面図である。
【図１４】図１４は第２のベルト連結具の回動状態と圧着片の回動状態を示す模式図である。
【図１５】図１５はランドセルの大マチ部に取付けた第１の接続手段に第１のベルト連結具を取付けた使用状態を示す側面図である。
【考案を実施するための最良の形態】
【００１０】
本考案の第１の実施の形態を図面に基づいて説明すると、図１はランドセルの底面部に取付けた第１の接続手段に連結した第１のベルト連結具に第１の背負ベルトを連結した実施形態を示す側面図、図２は第１の背負ベルトの平面図、図３はランドセルの底面部に取付けた第１の接続手段に第１のベルト連結具を取付けた使用状態を示す底面図、図４は第１の接続手段に連結した第１のベルト連結具の可動板を開いた状態の平面図、図５は第１のベルト連結具の横断面図である。ランドセル１は、主収容室３、副収容室６、前ポケット８とからなるランドセル本体２と、このランドセル本体２を覆う蓋板９と、一端を背板４の上部中央に取付けた背環に一端を取付けた一対の背負ベルト１１とにより構成されている。  
【００１１】
図１、２に示すごとく、第１の背負ベルト１１Ａは、一端を背板４の上部中央に取付けた背環４ａに一端を取付けた一対の長尺な肩当部１２Ａと、該肩当部の下方に第１のベルト連結具３０に着脱可能に連結する連結部１３Ａを一体に形成してある。この第１の背負ベルト１１Ａは、連結部１３Ａの表面長手方向に第１のベルト連結具３０の連結基板３１に設けた突起部３５と着脱可能に連結するための連結孔１４を一定間隔で複数設けてある。
【００１２】
図６、９に示す第２の背負いベルト１１Ｂは、一端を背板４の上部中央に取付けた背環４ａに一端を取付けた一対の長尺な肩当部１２Ｂと、該肩当部の下方に第２のベルト連結具５０と着脱可能に連結する連結部１３Ｂを一体に形成してある。この第２の背負ベルト１１は、第２のベルト連結具５０と着脱可能に連結するため、連結部１３Ｂの表面を偏平に形成してある。
【００１３】
図３、４に示す第１の接続手段２０は、ランドセル本体２の底面部７に設けた錠前金具１７の両側に設けた接続体２１（いわゆるダルマ環）と、該接続体に枢動可能に軸支した連結環２２（いわゆるＤ環またはＣ環）とからなり、該連結環の一端と前記第１または第２ベルト連結具３０、５０の一端とを枢動可能に連結してある。
【００１４】
前記第１の接続手段２０は、図１５に示すごとく、ランドセル本体２の両側大マチ部５の下部に取付けて使用することもできる。この第１の接続手段２０を大マチ部５に取付けることにより、背負いベルト１１の下支点を幅方向に広げて背負いベルト１１の脇部分を広くすることができる
【００１５】
図６、８に示すごとく、第２の接続手段２５は、ランドセル本体２の主収容室３の両側大マチ部５の下部で対称位置に取付けた接続片２６と、該接続片の係止軸部２７に回動可能に遊嵌した接続環２８とからなり、該接続環の一端と前記第１または第２のベルト連結具３０、５０の一端とを直接または連結帯片６７を介して連結してある。
【００１６】
前記第２の接続手段２５は、楕円形に形成した接続片２６のかなめ部分の裏面垂直方向に係止軸部２７を設け、該係止軸部を中心として放射方向に湾曲させたガイド部２６ａを一体に形成してある。前記接続片２６の形状は、前記楕円形だけでなく、円形、方形など自由に形成してもよいことは勿論である。  
【００１７】
前記接続環２８は、図７、８に示すごとく、前記接続片２６の係止軸部２７に回動可能に遊嵌する支持孔２８ａと、前記第１または第２のベルト連結具３０、５０の一端とを連結するベルト孔２８ｂを設けてなり、この接続環２８の回動方向は、図７に示すごとく、前記接続片２６のガイド部２６ａの両端に当接する約１００度の範囲で回動可能に形成してある。
【００１８】
図４、５に示す第１のベルト連結具３０は、前記第１の背負ベルト１１Ａの連結部１３Ａを挿通する連結基板３１と、該連結基板の一端に枢動可能に軸支して連結基板３１の上面を開閉可能に覆う可動板４１とからなり、この第１のベルト連結具３０の一端と前記第１または第２の接続手段２０、２５の一端とを連結可能に形成してある。
【００１９】
前記第１のベルト連結具３０の連結基板３１は、一端に設けた連結部３２の他端にガイド部３３を一体に形成し、該ガイド部の両側にガイド壁部３６を形成し、前記ガイド部３３の略中央に前記第１の背負いベルト１１Ａの連結部１３Ａに設けた連結孔１４と着脱可能に嵌合するぎぼし状に形成した頭部３５ａを有する突起部３５を形成し、前記ガイド壁部３６の一端に係止孔３７を設け、該ガイド壁部で係止孔３７と反対側に設けた軸支部３８に前記可動板４１の一端を枢動可能に軸支してある。
【００２０】
前記第１の背負ベルト１１Ａと第１のベルト連結具３０との連結は、連結部１３に設けた連結孔１４を前記連結基板３１の突起部３５の頭部３５ａから嵌合させ、次いで、前記軸支部３８を中心に可動板４１を回動させて連結基板３１に被せて突起部３５の頭部３５ａを覆うと共に、可動板４１の係止突起４３を連結基板３１の係止孔３７に嵌合させて固定する。
【００２１】
前記可動板４１の一端に設けた押圧部４５で第１の背負ベルト１１Ａの連結部１３Ａを押圧することにより、連結基板３１と可動板４１との間で連結部１３Ａが揺動するのを防止し、外部からの衝撃などによるはずみで、第１の背負ベルト１１Ａが第１のベルト連結具３０から外れるのを防止することができ、さらには、可動板４１の裏面で突起部３５の頭部３５ａを覆うことにより、突起部３５で学童が傷つく恐れがなく身体にやさしく安全である。
【００２２】
本考案の第２の実施の形態を図面に基づいて説明すると、図１０は第２の接続手段に第２のベルト連結具を連結した状態の平面図、図１１は図１０のＡ―Ａ線断面図、図１２は図１１のＢ―Ｂ線断面図、図１３は第２の接続手段に連結した第２のベルト連結具に第２の背負いベルトを連結した状態の横断面図、図１４は第２のベルト連結具の回動状態と圧着片の回動状態を示す模式図である。
【００２３】
第２のベルト連結具５０は、一端に連結部５２を有した連結片５１と、該連結片の他端に枢動可能に軸支した圧着片６０とからなり、前記連結片５１は、一端に設けた連結部５２の他端を折り曲げて形成した立上部５３の上面に歯合部５５を一体に形成し、該立上部の基部の両側に設けた軸部５６を前記圧着片６０のガイド壁部６２に設けた軸受孔６３に枢動可能に軸支し、前記圧着片６０は、両側に設けたガイド壁部６２に前記した軸受孔６３を設け、前記背負いベルト１１の連結部１３を挿通する挿入口６１を一端に形成し、裏面に係止突起６４を設けてある。
【００２４】
前記第１または第２の接続手段２０、２５の一端と連結した第２のベルト連結具５０は、前記第２背負いベルト１１Ｂの連結部１３Ｂを、圧着片６０のガイド口６１から挿通した後、前記圧着片６０を連結片５１と並行位置に回動させることにより、連結片５１に設けた歯合部５５が背負いベルト１１の連結部１３を圧着させて背負いベルトが長さ方向に滑るのを防止して連結してある。
【００２５】
以下、本考案の実施の形態の作用について説明すると、ランドセル１の底面部７に取付けた第１の接続手段２０と連結した第１のベルト連結具３０を使用してランドセル１に取付けた第１の背負いベルト１１Ａを連結する場合、第１のベルト連結具３０は、連結基板３１の一端連結部３２を第１の接続手段２０である接続体２１の連結環２２と直接または布製の連結帯片６７を介して枢動可能に連結してある。
【００２６】
ついで、連結基板３１と可動板４１との間に第１の背負いベルト１１Ａの連結部１３Ａを挿通し、該連結部の長さはランドセル１を使用する学童の肩幅や身長に合わせて調節した後、当該位置に近い連結孔１４をガイド部３３の突起部３５に嵌合し、さらに可動板４１を枢動させて連結基板３１の上に被せてガイド壁部３６の係止孔３７に可動板４１の側壁部４２に設けた係止突起４３を嵌合させて可動板４１が開くのを防止して固定する。
【００２７】
前記連結基板３１に可動板４１を嵌合すると、可動板４１の一端に設けた押圧部４５で第１の背負いベルト１１Ａの連結部１３Ａを連結基板３１方向に押圧して背負いベルトが揺動するのを防止し、万一、外部からの衝撃などによるはずみが生じた場合でも第１の背負ベルト１１Ａが第１のベルト連結具３０から外れるのを防止することができる。さらには、連結基板３１に可動板４１を被せることにより、該可動板４１の裏面で突起部３５の頭部３５ａを覆うことにより、突起部３５が露出しないので学童が傷つく恐れがなく身体にやさしく安全である。
【００２８】
第１の背負いベルト１１Ａと第１のベルト連結具３０との連結解除は、第１のベルト連結具３０の可動片４１の一端に設けた突出部４６に指を引掛けて上げることにより、可動片４１の係止突起４３が連結基板３１の係止孔３７から外れて回動させることにより、連結部１３Ａへの押圧力が解除され、連結部１３Ａの連結孔１４をガイド部３３に設けた突起部３５から容易に外すことができ、第１の背負いベルト１１Ａを簡単に第１のベルト連結具３０から引き抜くことができる。
【００２９】
ランドセル１の大マチ部５の下方で対象位置に取付けた第２の接続手段２５と連結した第２のベルト連結具５０を使用してランドセル１に取付けた第２の背負いベルト１１Ｂを連結する場合、第２のベルト連結具５０は、連結片５１の一端連結部５２を第２の接続手段２５である接続環２８と直接または布製の連結帯片６７を介して枢動可能に連結してある。
【００３０】
第２の背負いベルト１１Ｂの連結は、第２のベルト連結具５０の圧着片６０に設けた挿入口６１から第２の背負いベルト１１Ｂの連結部１３Ｂを挿入し、ランドセルを使用する学童の肩幅や身長に合わせて連結部１３Ｂの長さを調節した後、前記圧着片６０を連結片５１と平行位置に回動させるだけの簡単な操作で連結片５１の立上部５３の歯合部５５が第２の背負いベルト１１Ｂの連結部１３Ｂを圧着片６０の裏面に押圧して連結することができる。
【００３１】
第２の背負いベルト１１Ｂの連結部１３Ｂは、連結片５１の立上部５３に設けた歯合部５５の圧着力と圧着片６０の裏面に設けた係止突起６４との圧着力により第２の背負いベルト１１Ｂが長さ方向に滑るのを防止して強固に連結することができる。
【００３２】
第２の背負いベルト１１Ｂと第２のベルト連結具５０との連結解除は、背負いベルト１１Ｂの連結部１３Ｂの先端を引き起こすだけの簡単な操作で、圧着片６０が軸部５６から回動して連結片５１の歯合部５５を第２の背負いベルト１１Ｂの連結部１３Ｂから離脱させることにより、圧着片６０から引き抜くことができる。
【００３３】
この第２のベルト連結具５０に連結する背負いベルトは、前記した第２の背負ベルト１１Ｂだけでなく第１の背負ベルト１１Ａを使用して取付けることができるのは勿論である。さらには図１５に示すごとく、前記ランドセル１の大マチ部５に第１の接続手段２０を取付けてもよく、この第１の接続手段２０に第２のベルト連結具５０を直接または連結止片６７を介して取付けることができるのは勿論である。
【符号の説明】
【００３４】
１      ランドセル
２      ランドセル本体
３      主収容室
４      背板
５      大マチ部
６      副収容室
７      底面部
８      前ポケット
９      蓋板
１１    背負いベルト
１２    肩当部
１３    連結部
１４    連結孔
１７    錠前金具
２０    第１の接続手段
２１    接続体
２２    連結環
２５    第２の接続手段
２６    接続片
２７    係止軸部
２８    接続環
２９    連結止片
３０    第１のベルト連結具
３１    連結基板
３２    連結部
３３    ガイド部
３５    突起部
３６    ガイド壁部
３７    係止孔
３８    軸支部
４１    可動板
４２    側壁部
４３    係止突起
４４    切溝部
４５    押圧部
４６    突出部
５０    第２のベルト連結具
５１    連結片
５２    連結部
５３    立上り部
５５    歯合部
５６    軸部
６０    圧着片
６１    挿通口
６２    ガイド壁部
６３    軸受孔
６４    係止突部
６７    連結帯片
【図１】
0003202660.tif 000003
【図２】
0003202660.tif 000004
【図３】
0003202660.tif 000005
【図４】
0003202660.tif 000006
【図５】
0003202660.tif 000007
【図６】
0003202660.tif 000008
【図７】
0003202660.tif 000009
【図８】
0003202660.tif 000010
【図９】
0003202660.tif 000011
【図１０】
0003202660.tif 000012
【図１１】
0003202660.tif 000013
【図１２】
0003202660.tif 000014
【図１３】
0003202660.tif 000015
【図１４】
0003202660.tif 000016
【図１５】
0003202660.tif 000017
【手続補正書】
【提出日】平成27年12月16日(2015.12.16)
【手続補正１】
【補正対象書類名】実用新案登録請求の範囲
【補正対象項目名】全文
【補正方法】変更
【補正の内容】
【実用新案登録請求の範囲】
【請求項１】
前面に背板（４）を取付けた主収容室（３）と副収容室（６）と前ポケット（８）とで設けたランドセル本体（２）と、該ランドセル本体の上面全体を覆う蓋板（９）と、前記背板（４）の上部中央に上端を取付けた第１の背負いベルト（１１Ａ）または第２の背負ベルト（１１Ｂ）とからなるランドセル（１）において、前記第１の背負いベルト（１１Ａ）または第２の背負ベルト（１１Ｂ）の下部と、ランドセル本体（２）の底面部（７）またはランドセル本体（２）の大マチ部（５）の両側下部に取付けた第１の接続手段（２０）または第２の接続手段（２５）の一端に取付けた第１のベルト連結具（３０）または第２のベルト連結具（５０）との長さを調節可能に連結してなることを特徴とするランドセル。
【請求項２】
前記第１の背負いベルト（１１Ａ）または第２の背負いベルト（１１Ｂ）は、前記背板（４）の上部中央に取付けた背環（４ａ）に肩当部（１２Ａ、１２Ｂ）の上部を連結してなり、該肩当部の下部に前記第１のベルト連結具（３０）または第２のベルト連結具（５０）と着脱可能に連結する連結部（１３Ａ、１３Ｂ）とを一体に形成してなることを特徴とする請求項１記載のランドセル。
【請求項３】
前記第１の背負いベルト（１１Ａ）は、連結部（１３Ａ）の表面長手方向に複数の連結孔（１４）を適宜間隔に設けてなることを特徴とする請求項１または２記載のランドセル。
【請求項４】
前記第１の接続手段（２０）は、ランドセル本体（２）の底面部（７）または大マチ部（５）の両側下部に取付けた接続体（２１）と、該接続体に一端を枢動可能に軸支した連結環（２２）とからなり、該連結環の一端に前記第１のベルト連結具（３０）または第２のベルト連結具（５０）を枢動可能に連結してなることを特徴とする請求項１記載のランドセル。
【請求項５】
前記第２の接続手段（２５）は、ランドセル本体（２）の主収容室（３）の両側大マチ部（５）の下部で対称位置に取付けた接続片（２６）と、該接続片に回動可能に遊嵌した接続環（２８）とからなり、該接続環の一端と前記第１のベルト連結具（３０）または第２のベルト連結具（５０）の一端を、直接または連結帯片（６７）を介して連結してなることを特徴とする請求項１記載のランドセル。
【請求項６】
前記第１のベルト連結具（３０）は、前記第１の背負ベルト（１１Ａ）の連結部（１３Ａ）を挿通する連結基板（３１）と、該連結基板の一端に枢動可能に軸支して連結基板の上面を開閉可能に覆う可動板（４１）とからなり、この第１のベルト連結具（３０）の一端と、ランドセル本体（２）の底面部（７）または大マチ部（５）の両側下部に取付けた前記第１の接続手段（２０）または第２の接続手段（２５）の一端とを連結してなることを特徴とする請求項１記載のランドセル。
【請求項７】
前記第１のベルト連結具（３０）の連結基板（３１）は、一端に設けた連結部（３２）の他端にガイド部（３３）を一体に形成し、該ガイド部の略中央に前記第１の背負いベルト（１１Ａ）の連結部（１３Ａ）に設けた連結孔（１４）に着脱可能に嵌合する突起部（３５）と、両側に設けたガイド壁面（３６）の一端に係止孔（３７）を設け、可動板（４１）は、一端に連結基板（３１）を枢動可能に軸支する軸支部（３８）と、他端を垂直方向に折り曲げて形成した押圧部（４５）と、ガイド壁部（３６）に設けた係止孔（３７）と合致する係止突起（４３）とを設けてなり、前記第１の背負ベルト（１１Ａ）の連結部（１３Ａ）に設けた連結孔（１４）を連結基板（３１）の突起部（３５）に挿入させて軸支部（３８）を中心に可動板（４１）を回動させて連結基板（３１）に被せ、可動板（４１）の押圧部（４５）で第１の背負ベルト（１１Ａ）の連結部（１３Ａ）を押圧してなることを特徴とする請求項１または６記載のランドセル。  
【請求項８】
前記第２のベルト連結具（５０）は、一端に連結部（５２）を有した連結片（５１）と、該連結片の他端に枢動可能に軸支した圧着片（６０）とからなり、前記連結部（５２）と、前記ランドセル本体（２）の大マチ部（５）に取付けた第１または第２の接続手段（２０、２５）の連結環（２２）または接続環（２８）とを連結してなることを特徴とする請求項１記載のランドセル。  
【請求項９】
前記第２のベルト連結具（５０）の連結片（５１）は、一端に連結部（５２）を形成し、他端を直角方向に折り曲げて形成した立上部（５３）の上面に歯合部（５５）を設け、該立上部の基部の両側に軸部（５６）を設けてなり、圧着片（６０）は、ガイド壁部（６２）の両側に設けた軸受孔（６３）に連結片（５１）の軸部（５６）を枢動可能に軸支して裏面に係止突起（６４）を設け、前記第２の背負いベルト（１１Ｂ）の連結部（１３Ｂ）を挿通する挿入口（６１）を一端に形成してなり、圧着片（６０）の挿入口（６１）から第１の背負いベルト（１１Ａ）または第２の背負いベルト（１１Ｂ））の連結部（１３Ａ、１３Ｂ）を挿通させた後、圧着片（６０）を連結片（５１）と平行位置に回動させて連結片（５１）の歯合部（５５）と圧着片（６０）の裏面との間に連結部（１３Ａ、１３Ｂ）を圧着させて連結することを特徴とする請求項１または８記載のランドセル。  
以上